(57)【要約】二重瓶アダプター集合体は次の３つの構成要素を含む。第１通気式雌型瓶アダプターは薬瓶の上に伸縮自在に取り付けられる。第２通気式雌型瓶アダプターは液瓶の上に伸縮自在に取り付けられる。管状の輸液カプラーは第１通気式雌型瓶アダプターと第２通気式雌型瓶アダプターとを連結して、それらの間に二重に密封された管腔構造を成す。この二重に密封された管腔構造は、密封された液体用中央管腔と、密封された空気用管腔とを含む。液体用中央管腔では、液瓶から薬瓶へ液体が重力によって流れる。空気用管腔は液体用中央管腔よりも外周側に位置しており、薬瓶から液瓶へ変位した空気を排気する。液瓶と薬瓶との間に閉じたシステムが形成されることにより、重力による液体の流れが促される。
2020534964.tif 000002
【特許請求の範囲】
【請求項１】
薬瓶と液瓶と共に使用される二重瓶アダプター集合体であって、
前記薬瓶は、ボトルと、当該ボトルを密封する栓とを含み、
前記薬瓶には薬剤が入っており、
前記液瓶は、ボトルと、当該ボトルを密封する栓とを含み、
前記液瓶には、前記薬瓶の中の薬剤に混ぜられ、または当該薬剤を戻して液状の薬を前記薬瓶の中に形成するための液体が入っており、
中心線が長手方向に伸びており、
前記薬瓶の上に伸縮自在に取り付けられた第１通気式雌型瓶アダプターと、
前記液瓶の上に伸縮自在に取り付けられた第２通気式雌型瓶アダプターと、
前記第１通気式雌型瓶アダプターと前記第２通気式雌型瓶アダプターとの間で二重に密封された管腔構造を成す管状の輸液カプラーと
を備え、
（ａ）前記第１通気式雌型瓶アダプターでは、中心線が長手方向に伸びており、
前記第１通気式雌型瓶アダプターは、
ｉ）第１直立雌型コネクター、および、長手方向に伸びる前記第１通気式雌型瓶アダプターの中心線に対して前記第１直立雌型コネクターよりも外周側に位置する少なくとも１つの第１通気口を含む、横方向に広がる第１上壁と、
ｉｉ）前記薬瓶の上に伸縮自在に取り付けられた第１スカートと、
ｉｉｉ）前記第１通気式雌型瓶アダプターが取り付けられた前記薬瓶の栓を貫通する、管腔が二重の第１貫通管と
を含み、
前記第１貫通管は、
前記第１直立雌型コネクターに連通している第１液体用管腔と、
前記少なくとも１つの第１通気口に連通している第１空気用管腔と
を含み、
（ｂ）前記第２通気式雌型瓶アダプターでは、中心線が長手方向に伸びており、
前記第２通気式雌型瓶アダプターは、
ｉ）第２直立雌型コネクター、および、長手方向に伸びる前記第２通気式雌型瓶アダプターの中心線に対して前記第２直立雌型コネクターよりも外周側に位置する少なくとも１つの第２通気口を含む、横方向に広がる第２上壁と、
ｉｉ）前記液瓶の上に伸縮自在に取り付けられた第２スカートと、
ｉｉｉ）前記第２通気式雌型瓶アダプターが取り付けられた前記液瓶の栓を貫通する、管腔が二重の第２貫通管と
を含み、
前記第２貫通管は、
前記第２直立雌型コネクターに連通している第２液体用管腔と、
前記少なくとも１つの第２通気口に連通している第２空気用管腔と
を含み、
（ｃ）前記輸液カプラーでは、中心線が長手方向に伸びており、
前記輸液カプラーは、
前記第１通気式雌型瓶アダプターに連結している第１端と、
前記第２通気式雌型瓶アダプターに連結している第２端と
を含み、
前記輸液カプラーは、
前記少なくとも１つの第１通気口と前記少なくとも１つの第２通気口との間に、前記二重に密封された管腔構造のうち、密封された空気用管腔を構成している、長手方向に広がる空気用管腔壁
を含み、
前記空気用管腔壁は、
前記第１直立雌型コネクターに挿入されてその中を密封する第１雄型コネクターと、
前記第１雄型コネクターとは反対向きであって、前記第２直立雌型コネクターに挿入されてその中を密封する第２雄型コネクターと
を含み、
前記空気用管腔壁は、前記第１直立雌型コネクターと前記第２直立雌型コネクターとの間に、密封された液体用中央管腔を構成しており、
前記密封された空気用管腔は、長手方向に伸びる前記輸液カプラーの中心線に対して前記密封された液体用中央管腔よりも外周側に位置し、
前記第１通気式雌型瓶アダプターが前記薬瓶の上に取り付けられ、前記第２通気式雌型瓶アダプターが前記液瓶の上に取り付けられ、前記薬瓶の上方に前記液瓶が置かれて使用されることにより、前記液瓶から前記密封された液体用中央管腔を通して前記薬瓶へ重力によって流れる液体が前記密封された液体用中央管腔の中で液状の薬を形成することと、前記薬瓶から前記密封された空気用管腔を通して前記液瓶へ変位した空気が排気されることとが可能であり、
続いて前記第１通気式雌型瓶アダプターを前記輸液カプラーから取り外すことにより、無針注射器を前記第１直立雌型コネクターに取り付けて、そこから液体を吸引させることが可能である
ことを特徴とする二重瓶アダプター集合体。
【請求項２】
前記第１上壁は、
ｉ）長手方向に伸びる前記第１通気式雌型瓶アダプターの中心線に対して前記少なくとも１つの第１通気口よりも外周側に位置し、前記第１直立雌型コネクターを囲んでいる内側の囲いと、
ｉｉ）当該内側の囲いを囲んでいる外側の囲いと
を含み、
前記第２上壁は、
ｉ）長手方向に伸びる前記第２通気式雌型瓶アダプターの中心線に対して前記少なくとも１つの第２通気口よりも外周側に位置し、前記第２直立雌型コネクターを囲んでいる内側の囲いと、
ｉｉ）当該内側の囲いを囲んでいる外側の囲いと
を含み、
前記空気用管腔壁は、前記輸液カプラーの第１端では前記第１上壁の内側の囲いと外側の囲いとの間に気密に挿入されており、前記輸液カプラーの第２端では前記第２上壁の内側の囲いと外側の囲いとの間に気密に挿入されている
請求項１に記載の二重瓶アダプター集合体。
【請求項３】
前記密封された空気用管腔は前記密封された液体用中央管腔を囲んでいる、請求項１または請求項２に記載の二重瓶アダプター集合体。
【請求項４】
前記輸液カプラーは、
前記空気用管腔壁に取り付けられており、前記二重瓶アダプター集合体の取り扱いを手助けする外壁
を含む、請求項１から請求項３までのいずれか１項に記載の二重瓶アダプター集合体。
【請求項５】
前記空気用管腔壁は、前記輸液カプラーの第１端では前記第１上壁と結合しており、前記輸液カプラーの第２端では前記第２上壁と結合している、請求項１から請求項４までのいずれか１項に記載の二重瓶アダプター集合体。
【請求項６】
前記空気用管腔壁は、前記第１直立雌型コネクターに結合する第１雌ねじと、前記第２直立雌型コネクターに結合する第２雌ねじとを含む、請求項１から請求項４までのいずれか１項に記載の二重瓶アダプター集合体。
【発明の詳細な説明】
【技術分野】
【０００１】
本発明は、薬剤が入った薬瓶、および液体が入った液瓶と共に使用される二重瓶アダプター集合体に関する。
【背景技術】
【０００２】
二重瓶アダプター集合体は、薬剤が入った薬瓶、および液体が入った液瓶と共に使用される。液体は薬瓶の中の薬剤と混ざって、またはその薬剤を戻して液状の薬を形成する。二重瓶アダプター集合体は薬瓶アダプターと液瓶アダプターとを含む。薬瓶アダプターは薬瓶の上に伸縮自在に取り付けられ、薬瓶と連通する。液瓶アダプターは液瓶の上に伸縮自在に取り付けられ、液瓶と連通する。二重瓶アダプター集合体は一般に２つのタイプに分類可能である。負圧タイプは負圧下の薬瓶と共に使用されるものであり、液瓶から液体が薬瓶の中へ確実に引き込まれる。重力流タイプは、液瓶から薬瓶へ液体が重力によって流れるように配置された通気口を使用するものである。前者のタイプは、まず液瓶の上に伸縮自在に取り付けられ、次に薬瓶の上に伸縮自在に取り付けられる。前者のタイプは一般に、液状の薬を少量用意する際に使用される。後者のタイプは、液瓶と薬瓶とへの取り付けに特定の順序を必要としない。後者のタイプは一般に、液状の薬を多量に用意する際に使用される。これにより、液状の薬を数回に分けて吸引させるのに、または点滴用の静脈注射セットと共に使用するのに適している。
【０００３】
特許文献１には重力流タイプの二重瓶アダプター集合体の一例が開示されている。特許文献１の図９に示されている二重瓶アダプター集合体が含む薬瓶アダプターには雌型コネクターがあり、液瓶アダプターには管腔が二重で端が２つの輸液スパイクがある。このスパイクは液瓶の栓と薬瓶の栓との両方を貫通している。薬瓶の中に液状の薬を作ることにより、無針注射器を薬瓶アダプターに取り付けて、そこから液状の薬を無針注射器に吸引させることを可能にするには、使用者は薬瓶アダプターと液瓶アダプターとを正しく区別しなければならない。しかし、薬瓶アダプターと液瓶アダプターとは非常に似ているので混同を招きやすく、液状の薬を液瓶の中に作ってしまいかねない。この場合、上記の輸液スパイクがある液瓶アダプターに無針注射器を取り付けることはできない。
【０００４】
特許文献２には別の二重瓶アダプター集合体が開示されている。図１−図５には通気式雌型薬瓶アダプターと通気式雄型液瓶アダプターとが開示されている。図６−図８には、同一の通気式雌型瓶アダプターが２つと、中間に位置する端が２つの輸液カプラーとが開示されている。この輸液カプラーには、方向が互いに反対である１対の雄型コネクターがある。図９−図１１には、同一の通気式雄型瓶アダプターが２つと、中間に位置する端が２つの輸液カプラーとが開示されている。この輸液カプラーには、方向が互いに反対である１対の雌型コネクターがある。これらの二重瓶アダプター集合体には同一の通気式瓶アダプターが２つあるので、次の利点がある。いずれの通気式瓶アダプターを薬瓶または液瓶の上に取り付けても等価であるので、使用者は薬瓶アダプターと液瓶アダプターとを区別する必要がない。通気式瓶アダプターは、好ましくは特許文献３に開示されているように、瓶から速やかに取り外されるように設計されている。したがって、通気式瓶アダプターは、液状の薬が入った薬瓶から簡単に取り外すことができる。これにより、その薬瓶の栓を露出させて、液状の薬を患者に点滴するための静脈注射セットに挿入することができる。
【０００５】
二重瓶アダプター集合体において、薬瓶の中に液状の薬を形成するために、液瓶から薬瓶へ生じさせる重力による流れを改善する必要がある。
【先行技術文献】
【特許文献】
【０００６】
【特許文献１】米国特許第８７５２５９８号明細書
【特許文献２】国際公開第２０１７／２０３５１２号
【特許文献３】国際公開第２０１２／１５０５８７号
【発明の概要】
【０００７】
本発明は二重瓶アダプター集合体を対象とする。この集合体は次のような３つの構成要素を含む。薬瓶の上に伸縮自在に取り付けられた第１通気式雌型瓶アダプター、液瓶の上に伸縮自在に取り付けられた第２通気式雌型瓶アダプター、および、第１通気式雌型瓶アダプターと第２通気式雌型瓶アダプターとを連結させて、それらの間で二重に密封された管腔構造を成す管状の輸液カプラー。この管腔構造には、密封された液体用中央管腔と、それよりも外周側に位置する、少なくとも１つの密封された空気用管腔とが含まれる。液体用中央管腔では液瓶から、その下に配置された薬瓶まで、液体が重力によって流れる。空気用管腔では薬瓶から液瓶へ変位した空気が排気される。液瓶と薬瓶との間で閉じたシステムが形成されることにより、重力による液体の流れが促される。輸液カプラーは好ましくは、空気用管腔が液体用中央管腔を同軸に囲むように設計されている。本発明の二重瓶アダプター集合体は好ましくは、適切に無菌状態とされた梱包から解かれたらすぐに使えるように設定された位置にある。その他に、二重瓶アダプター集合体は、使用前に使用者が組み立てなければならないものであってもよい。
【図面の簡単な説明】
【０００８】
発明を理解し、発明が実際にどのように実施可能であるかを見る目的で、以下、好ましい実施形態について、非限定的な例のみを用いて説明する。参照される添付の図面では、同様な部分に同様な参照番号が付されている。
【０００９】
【図１】投与セットの斜視図である。このセットには、無針注射器、薬瓶、液瓶、点滴セット、および、本発明の好ましい第１実施形態による二重瓶アダプター集合体が含まれる。
【図２】図１の二重瓶アダプター集合体の分解図である。
【図３】図１の直線Ａ−Ａに沿った図１の二重瓶アダプター集合体の縦断面図である。
【図４】液瓶から薬瓶への液体の流れと、薬瓶から液瓶への空気の変位とを示す、図１の直線Ａ−Ａに沿った図１の二重瓶アダプター集合体の縦断面図である。
【図５Ａ−５Ｆ】投与セットの使用方法を示す。
【図６】本発明の好ましい第２実施形態による二重瓶アダプター集合体の斜視図である。
【図７】図６の二重瓶アダプター集合体の分解図である。
【図８Ａ】図６の二重瓶アダプター集合体の輸液カプラーの上面図である。
【図８Ｂ】図８Ａの直線Ｃ−Ｃに沿った図６の輸液カプラーの縦断面図である。
【図８Ｃ】図８Ａの直線Ｄ−Ｄに沿った図６の輸液カプラーの縦断面図である。
【図９】図８Ａの直線Ｄ−Ｄに沿った図６の二重瓶アダプター集合体の縦断面図である。
【発明を実施するための形態】
【００１０】
図１は投与セット５を示す。このセット５は、最初は空である無針注射器１０、薬瓶２０、液瓶３０、点滴セット４０（寸法が縮小されている。）、および二重瓶アダプター集合体１００を含む。無針注射器１０はシリンダ１１を含み、シリンダ１１はプランジャー１２と雄型のルアーロックコネクター１３とを含む。注射器１０は他のタイプの雄型コネクターで形成されていてもよい。薬瓶２０には長手方向に軸２０Ａがある。薬瓶２０は上端が開いたボトル２１を含む。ボトル２１は王冠部２２と、径の狭い首部２３とを含む。薬瓶の王冠部２２は栓２４によって密封されている。薬瓶の栓２４はアルミニウムの帯２６によって密封されている。薬瓶２０には薬剤２７が入っている。薬剤２７は、粉状、固体状、または液状である。液瓶３０には長手方向に軸３０Ａがある。液瓶３０は上端が開いたボトル３１を含む。ボトル３１は王冠部３２と、径の狭い首部３３とを含む。液瓶の王冠部３２は栓３４によって密封されている。液瓶の栓３４はアルミニウムの帯３６によって密封されている。液瓶３０には液体３７が入っている。液体３７は希釈剤だけであっても、活性成分が混ざっていてもよい。静脈注射用点滴セット４０は、静脈注射用スパイク４１、第１管４２、クランプ４３、滴下室４４、第２管４６、ローラークランプ４７、雄型のルアーコネクター４８、およびルアーシールド４９を含む。第１管４２は典型的な寸法が４．１ｍｍ×２００ｍｍであり、第２管４６は典型的な寸法が４．１ｍｍ×５００ｍｍである。
【００１１】
図２−図４が示すように、二重瓶アダプター集合体１００には、長手方向に伸びる中心線１０１がある。二重瓶アダプター集合体１００は次の３つの構成要素を含む。第１通気式雌型瓶アダプター１１０は薬瓶２０の上に伸縮自在に取り付けられている。第２通気式雌型瓶アダプター１２０は液瓶３０の上に伸縮自在に取り付けられている。管状の輸液カプラー１３０は第１通気式雌型瓶アダプター１１０と第２通気式雌型瓶アダプター１２０とを連結している。
【００１２】
第１通気式雌型瓶アダプター１１０には、長手方向に伸びる中心線１１１がある。第１通気式雌型瓶アダプター１１０は、横方向に広がる第１上壁１１２を含む。第１上壁１１２には、第１直立雌型コネクター１１３と、直径方向で対を成す第１通気口１１２Ａとがある。第１通気式雌型瓶アダプターの中心線１１１に対し、第１通気口１１２Ａは第１直立雌型コネクター１１３よりも外周側に位置する。第１直立雌型コネクター１１３は好ましくは、雄ねじを含む雌型のルアーコネクターで構成されている。その雄ねじには雄型のルアーロックコネクターがねじ込まれる。第１通気式雌型瓶アダプター１１０は第１スカート１１４と環状の空気フィルター室１１６とを含む。第１スカート１１４は薬瓶２０の上に伸縮自在に取り付けられている。空気フィルター室１１６は第１上壁１１２と第１スカート１１４との間に配置されている。空気フィルター室１１６は環状の空気フィルター１１６Ａを含む。
【００１３】
第１上壁１１２は、環状である内側の囲い１１７を含む。内側の囲い１１７は、第１通気式雌型瓶アダプターの中心線１１１に対して第１通気口１１２Ａよりも外周側に位置する。第１上壁１１２は、環状である外側の囲い１１８を含む。外側の囲い１１８が内側の囲い１１７の近くで内側の囲い１１７を囲むことにより、それらの囲いの間には環状の溝が形成されている。内側の囲い１１７には、外側の囲い１１８に面した外周シール面１１７Ａがある。外側の囲い１１８は、互いに対向する１対の結合用の溝１１８Ａを含む。内側の囲い１１７と外側の囲い１１８とは必ずしも環状でなくてもよいが、第１通気式雌型瓶アダプターの中心線１１１に対して、第１通気口１１２Ａよりも外周側に位置しなければならない。
【００１４】
第１スカート１１４は第１管１１９を含む。第１管１１９は、第１通気式雌型瓶アダプター１１０を薬瓶２０の上に伸縮自在に取り付けている薬瓶の栓２４を貫通している。第１管１１９は液体用管腔１１９Ａと空気用管腔１１９Ｂとを含む。液体用管腔１１９Ａは第１通気式雌型瓶アダプターのコネクター１１３に連通している。空気用管腔１１９Ｂは第１通気口１１２Ａに連通している。
【００１５】
第２通気式雌型瓶アダプター１２０には、長手方向に伸びる中心線１２１がある。第２通気式雌型瓶アダプター１２０は、横方向に広がる第２上壁１２２を含む。第２上壁１２２には、第２直立雌型コネクター１２３と、直径方向で対を成す第２通気口１２２Ａとがある。第２通気式雌型瓶アダプターの中心線１２１に対し、第２通気口１２２Ａは第２直立雌型コネクター１２３よりも外周側に位置する。第２直立雌型コネクター１２３は好ましくは、雄ねじを含む雌型のルアーコネクターで構成されている。その雄ねじには雄型のルアーロックコネクターがねじ込まれる。第２通気式雌型瓶アダプター１２０は第２スカート１２４と環状の空気フィルター室１２６とを含む。第２スカート１２４は液瓶３０の上に伸縮自在に取り付けられている。空気フィルター室１２６は第２上壁１２２と第２スカート１２４との間に配置されている。空気フィルター室１２６は環状の空気フィルター１２６Ａを含む。
【００１６】
第２上壁１２２は、環状である内側の囲い１２７を含む。内側の囲い１２７は、第２通気式雌型瓶アダプターの中心線１２１に対して第２通気口１２２Ａよりも外周側に位置して、第２直立雌型コネクター１２３を囲んでいる。第２上壁１２２は、環状である外側の囲い１２８を含む。外側の囲い１２８が内側の囲い１２７の近くで内側の囲い１２７を囲むことにより、それらの囲いの間には環状の溝が形成されている。内側の囲い１２７には、外側の囲い１２８に面した外周シール面１２７Ａがある。外側の囲い１２８は、互いに対向する１対の結合用の溝１２８Ａを含む。内側の囲い１２７と外側の囲い１２８とは必ずしも環状でなくてもよいが、第２通気式雌型瓶アダプターの中心線１２１に対して、第２通気口１２２Ａよりも外周側に位置しなければならない。
【００１７】
第２スカート１２４は第２管１２９を含む。第２管１２９は、第２通気式雌型瓶アダプター１２０を液瓶３０の上に伸縮自在に取り付けている液瓶の栓３４を貫通している。第２管１２９は液体用管腔１２９Ａと空気用管腔１２９Ｂとを含む。液体用管腔１２９Ａは第２通気式雌型瓶アダプターのコネクター１２３に連通している。空気用管腔１２９Ｂは第２通気口１２２Ａに連通している。
【００１８】
第１通気式雌型瓶アダプター１１０と第２通気式雌型瓶アダプター１２０とは好ましくは、特許文献３に開示された、手早く取り外せるタイプである。
【００１９】
輸液カプラー１３０には、長手方向に伸びる中心線１３１がある。輸液カプラー１３０は、第１通気式雌型瓶アダプター１１０に結合した第１端１３０Ａと、第２通気式雌型瓶アダプター１２０に結合した第２端１３０Ｂとを含む。これらの端が結合することにより二重瓶アダプター集合体１００の各部の位置が設定される。輸液カプラー１３０は空気用管腔壁１３２と外壁１３３とを含む。外壁１３３は、径方向に広がる羽根１３４で空気用管腔壁１３２に取り付けられている。外壁１３３は第１上壁１１２の周囲と第２上壁１２２の周囲との間に広がっており、二重瓶アダプター集合体１００を取り扱うのに役立つ。空気用管腔壁１３２は、横方向に広がる環状の内部フランジ１３６を含む。内部フランジ１３６は第１直立雄型コネクター１３７Ａと、それとは反対方向の第２直立雄型コネクター１３７Ｂとを含む。第１直立雄型コネクター１３７Ａは第１直立雌型コネクター１１３に挿入され、その中を密封する。第２直立雄型コネクター１３７Ｂは第２直立雌型コネクター１２３に挿入され、その中を密封する。
【００２０】
空気用管腔壁１３２は、互いに対向する１対の結合用突起１３２Ａ、１３２Ｂを含む。結合用突起の一方１３２Ａは輸液カプラーの第１端１３０Ａから外周方向へ突出して、結合用の溝１１８Ａと結合する。結合用突起のもう一方１３２Ｂ（図示せず。）は輸液カプラーの第２端１３０Ｂから外周方向へ突出して、結合用の溝１２８Ａと結合する。こうして、二重瓶アダプター集合体１００の各部の位置が設定される。このとき、空気用管腔壁１３２は、輸液カプラーの第１端１３０Ａでは内側の囲い１１７と外側の囲い１１８との間に滑り込み、輸液カプラーの第２端１３０Ｂでは内側の囲い１２７と外側の囲い１２８との間に滑り込む。空気用管腔壁１３２は、輸液カプラーの第１端１３０Ａでは外周シール面１１７Ａを密封し、輸液カプラーの第２端１３０Ｂでは外周シール面１２７Ａを密封している。
【００２１】
二重瓶アダプター集合体１００の各部の位置が設定されると、輸液カプラー１３０は二重に密封された管腔構造１３８を構成する。この構造１３８は、密封された液体用中央管腔１３８Ａと、密封された空気用管腔１３８Ｂとを含む。液体用中央管腔１３８Ａは第１直立雌型コネクター１１３と第２直立雌型コネクター１２３との間に位置している。空気用管腔１３８Ｂは液体用中央管腔１３８Ａを囲んでおり、第１通気口１１２Ａと第２通気口１２２Ａとを気密に連通させている。このように、二重瓶アダプター集合体１００は液瓶と薬瓶との間に閉じたシステムを形成し、液瓶から薬瓶へ液体が重力によって流れるのを促す。図４は、重力によって液瓶３０から薬瓶２０へ、密封された液体用管腔１３８Ａを通して流れる液体を示す。この流れは矢印Ａで示されている。図４は、薬瓶２０から液瓶３０へ、空気用管腔１１９Ｂ、密封された空気用管腔１３８Ｂ、および空気用管腔１２９Ｂを通して変位する空気の流れも示す。この流れは矢印Ｂで示されている。
【００２２】
図５Ａ−図５Ｆは投与セット５の使用方法を示す。投与セット５は、患者へ投与すべき液状の薬を薬瓶２０の中に用意するためのものである。図５Ａは、第２通気式雌型瓶アダプター１２０を液瓶３０の上に伸縮自在に取り付けて液瓶３０に連通させる様子を示す。図５Ｂは、二重瓶アダプター集合体１００を液瓶３０と共にひっくり返し、第１通気式雌型瓶アダプター１１０を薬瓶２０の上に伸縮自在に取り付けて薬瓶２０に連通させる様子を示す。これにより、液瓶３０から薬瓶２０へ液体が重力によって流れて、薬瓶２０の中で液状の薬が形成されると共に、薬瓶２０から液瓶３０へ空気が変位して排気される。図５Ｃは、輸液カプラー１３０が第１通気式雌型瓶アダプター１１０から取り外される様子を示す。図５Ｄは、第１通気式雌型瓶アダプター１１０に注射器１０がねじ込まれ、患者へ投与すべき量の液状の薬を薬瓶２０から吸引する様子を示す。図５Ｅは、第１通気式雌型瓶アダプター１１０を薬瓶２０から取り外す様子を示す。図５Ｆは、静脈注射用点滴セット４０を薬瓶２０に接続して、患者に液状の薬を点滴する様子を示す。
【００２３】
図６−図９は、二重瓶アダプター集合体１００と構成および操作が同様な二重瓶アダプター集合体２００を示す。後者２００は前者１００とは、輸液カプラー１３０を第１通気式雌型瓶アダプター１１０と第２通気式雌型瓶アダプター１２０とに結合させる仕方が異なる。１対の結合用の溝１１８Ａと結合用突起１３２Ａ、および１対の結合用の溝１２８Ａと結合用突起１３２Ｂが配置されるのではなく、空気用管腔壁１３２が、第１直立雌型コネクターに結合する第１雌ねじ１３９Ａと、第２直立雌型コネクター１２３に結合する第２雌ねじ１３９Ｂとを含む。
【００２４】
本発明の特定の実施形態を図示して説明したが、発明の精神と範囲とから外れることなく様々な変更および修正が可能であることは、当業者には明らかであろう。
【図１】
2020534964.tif 000003
【図２】
2020534964.tif 000004
【図３】
2020534964.tif 000005
【図４】
2020534964.tif 000006
【図５Ａ】
2020534964.tif 000007
【図５Ｂ】
2020534964.tif 000008
【図５Ｃ】
2020534964.tif 000009
【図５Ｄ】
2020534964.tif 000010
【図５Ｅ】
2020534964.tif 000011
【図５Ｆ】
2020534964.tif 000012
【図６】
2020534964.tif 000013
【図７】
2020534964.tif 000014
【図８Ａ】
2020534964.tif 000015
【図８Ｂ】
2020534964.tif 000016
【図８Ｃ】
2020534964.tif 000017
【図９】
2020534964.tif 000018
【国際調査報告】
2020534964.tif 000019
2020534964.tif 000020